(57)【要約】      （修正有）【課題】筐体ごとの更新を容易にし、更新コストの低減化を可能とする電力用盤の筐体を提供する。【解決手段】扉２と、天井板３と、床板と、一対の側面板と、が直方体状に連結された電力用盤の筐体ａであって、一対の側面板の少なくとも一方が、水平方向にスライド移動可能かつ筐体ａの内部に収納可能に設けられた伸縮側面板６を含む。電力用盤の筐体ａには、伸縮側面板６を収納する収納スペースが設けられ、伸縮側面板６は、収納スペースに収納された状態から、筐体ａの外方に向かって突出するようにスライド移動可能に設けられている。【選択図】図１
2019047557.tif 000002
【特許請求の範囲】
【請求項１】
扉と、天井板と、床板と、一対の側面板と、が直方体状に連結された電力用盤の筐体であって、
前記一対の側面板の少なくとも一方が、水平方向にスライド移動可能かつ前記筐体の内部に収納可能に設けられた伸縮側面板を含む電力用盤の筐体。
【請求項２】
前記伸縮側面板を収納する収納スペースが設けられ、
前記伸縮側面板は、前記収納スペースに収納された状態から、前記筐体の外方に向かって突出するようにスライド移動可能に設けられている請求項１記載の電力用盤の筐体。
【請求項３】
前記伸縮側面板は、
平板と側板を有する箱形の部材であり、
少なくとも対向する２つの側板の端部には、外方に向かって垂直方向に延びる第１のフランジ板が形成され、
前記収納スペースは、
前記筐体と前記収納スペースを仕切る断面凸型の仕切り板と、側板を有する箱形の部材であり、
前記伸縮側面板の前記第１のフランジ板に対応する箇所に、内方に向かって垂直に延びる第２のフランジ板が形成され、
前記伸縮側面板の側板は、前記収納スペースの仕切り板と側板が画成する窪みに嵌め込まれる請求項２記載の電力用盤の筐体。
【請求項４】
前記伸縮側面板の側板の少なくとも一つには、固定穴が設けられ、
前記収納スペースの側板には、前記固定穴に対応する位置に長穴が設けられ、
前記伸縮側面板は、前記固定穴および前記長穴を介して、固定具により固定可能に設けられている請求項２または３記載の電力用盤の筐体。
【請求項５】
前記伸縮側面板には、前記伸縮側面板のスライド移動を補助する取っ手が設けられている請求項２〜４記載の電力用盤の筐体。
【請求項６】
前記伸縮側面板の第１のフランジ板と、前記収納スペースの仕切り板との間に弾性部材が設けられている請求項２〜５記載の電力用盤の筐体。
【請求項７】
前記電力用盤の筐体が複数並んで設置され、
各電力用盤の筐体の前記伸縮側面板は、隣接する筐体の側面板と密接する位置まで伸ばされて固定される請求項１〜６に記載の電力用盤の筐体。
【発明の詳細な説明】
【技術分野】
【０００１】
本発明の実施形態は、電力用盤の筐体に関し、特に、配電盤やスイッチギヤのような電気機器が収納される電力用盤の筐体に関する。
【背景技術】
【０００２】
電力系統に用いられる電力用盤は、直方体状の筐体内部に収納されて用いられる。電力用盤としては、配電盤、分電盤、および制御盤などがある。このような電力用盤の中には、開閉装置が金属製の筐体の中に収納され、高圧状態で電路を開閉するスイッチギヤが含まれる。スイッチギヤでは、金属製の筐体を接地することで感電が防止されるとともに、開閉装置等の内部機器が筐体により封止され、外部雰囲気からの影響を受けにくくなっている。
【０００３】
一般的に、スイッチギヤは、扉、天井板、底板、および左右の側面板から構成される金属製の筐体を有する。各筐体の内部には、例えば、受電盤、フィーダ盤、およびコンデンサ盤というように、受電用および配電用の電力用盤や周辺機器がそれぞれ収納されている。各筐体の内部に収納された電力用盤や周辺機器は、筐体の側面に設けられた開口部に通された母線を介して接続されることがある。
【０００４】
そのため、これらの複数の筐体は、隣り合わせまたは背面合わせで、各筐体間に隙間が生じないように並べて設置される。各筐体間に隙間が生じてしまうと、母線の周辺に埃等が溜まり、事故の原因になる恐れがあるからである。また、筐体の側面に開口部が設けられていない場合であっても、各筐体間に隙間が生じないように設置することで、設置スペースを有効に活用できる、母線等のケーブルを短くできる、施工性が良くなる、美観が良くなるという利点がある。
【先行技術文献】
【特許文献】
【０００５】
【特許文献１】特開２０１６−１３４９７７号公報
【発明の概要】
【発明が解決しようとする課題】
【０００６】
スイッチギヤは様々な電力用盤と周辺機器等の内部機器で構成されているが、各電力用盤や周辺機器の期待寿命は異なるため、寿命を迎えた内部機器を収納する筐体を更新する必要が生じる。また、スイッチギヤの設置後に、特定の内部機器だけ改造が必要になるケースも考えられる。しかし、上述の通り、スイッチギヤは複数の筐体が隙間なく並べられている上に、筐体の重量が１トン以上になることも珍しくはない。そのため、他の筐体に挟まれるようにして設置されている筐体を抜き出すには、大掛かりな作業が必要となり施工上の負担が大きい。
【０００７】
仮に、他の筐体に挟まれるように設置されている筐体を抜き出せたとしても、その筐体を抜き出した空間に新しい筐体を挿入できない場合があった。同じ寸法の筐体でも、製造誤差があるからである。以上より、従来では、内部機器の改造や更新の必要が生じた場合には、該当する内部機器を有する筐体を入れ替えるのではなく、別のスペース新たなスイッチギヤを設けて機能を移行した後に、古いスイッチギヤを撤去していた。このように、１つの筐体の更新のみが必要な場合であっても、全ての筐体を更新することになるため、経済性が悪く、また施工上の負担となっていた。
【０００８】
本実施形態は、上記の課題を解決するために提案されたものであり、その目的は、筐体ごとの更新を容易にし、更新コストの低減化を可能とする電力用盤の筐体を提供することにある。
【課題を解決するための手段】
【０００９】
上記目的を達成するために、本発明の実施形態に係る電力用盤の筐体は、扉と、天井板と、床板と、一対の側面板と、が直方体状に連結された電力用盤の筐体であって、次の構成要素を有している。
（１）前記一対の側面板の少なくとも一方が、水平方向にスライド移動可能かつ前記筐体の内部に収納可能に設けられた伸縮側面板を含む。
【図面の簡単な説明】
【００１０】
【図１】第１の実施形態の電力用盤の筐体の正面側の斜視図である。
【図２】第１の実施形態の電力用盤の筐体の内部斜視図である。
【図３】第１の実施形態の伸縮側面板の斜視図である。
【図４】第１の実施形態の収納スペースを説明するための斜視図である。
【図５】第１の実施形態の電力用盤の筐体の断面図である。
【図６】第１の実施形態の伸縮側面板の動作を示す説明図である。
【図７】他の実施形態の電力用盤の筐体の正面図である。
【図８】他の実施形態の伸縮側面板の動作を示す説明図である。
【発明を実施するための形態】
【００１１】
（１）第１の実施形態
＜構成＞
第１の実施形態の電力用盤の筐体を、図１〜５を参照して具体的に説明する。この電力用盤の筐体は、配電盤、分電盤、および制御盤等の電力用盤を収容する筐体である。以下では、スイッチギヤの筐体を例に説明するが、本実施形態の筐体は電力用盤に広く適用できる。図１は、スイッチギヤの筐体ａを示す斜視図である。また、説明のために筐体ａの扉を外した状態の斜視図を図２に示す。
【００１２】
図１および２に示す通り、筐体ａは、筐体ａの載置台であるチャンネルベース１上にボルト等の固定具を用いて固定されている。筐体ａは、略直方体形状であり、扉２、天井板３、底板４、一対の側面板である側面板５および伸縮側面板６、および背面板７で構成される。扉２、天井板３、底板４、側面板５、および背面板７は、金属製の平板である。伸縮側面板６の構成については後述するが、伸縮側面板６は、金属製の平板を含む。筐体ａは、各金属製の平板を直接連結して略直方体状としても良いし、不図示の金属製の直方体状のフレームを設けて、フレームに各金属板を連結する構成としても良い。
【００１３】
図１に示す通り、扉２は、不図示の蝶番を介して側面板５側に連結される。扉２には、扉２の開閉を行うためのハンドル２ａと、筐体ａに収納されている電力用盤等の名称を示す名称板２ｂが設けられている。なお、扉２は、伸縮側面板６側ではなく、側面板５側に連結することが好ましい。伸縮側面板６側には、後述の通り伸縮側面板６の収納スペースが設けられるので、構造が複雑になり蝶番の取り付け位置等に制約が出る可能性がある。そのため、側面板５側に連結する方が施工性が高く、また筐体ａの強度を増すことができる。
【００１４】
（伸縮収納板６）
次に、本実施形態の特徴のひとつである伸縮側面板６について、詳細に説明する。なお、図１および２では、伸縮側面板６が向かって右側に設けられているが、左側に設ける構成としても良い。伸縮側面板６を左側に設ける場合には、扉２を右側の側面板５側に取り付けることが好ましい。なお、扉２は、天井板３または底板４に連結することもできる。また、伸縮側面板６は、伸縮側面板６そのものが伸縮する部材で形成されているわけではなく、伸縮するための機構を備える側面板を意味する。
【００１５】
図３に、筐体ａに嵌め込まれる前の伸縮側面板６の斜視図を示す。伸縮側面板６は、水平方向にスライド移動可能かつ筐体ａの内部に収納可能に設けられる。伸縮側面板６は、平板６ａと、側板６ｂと、およびフランジ板６ｃと、を有する。平板６ａ、側板６ｂ、およびフランジ板６ｃは、金属製の平板である。平板６ａは、長方形状の金属板である。平板６ａには、母線等のケーブルを通すための開口部が設けられることがある。側板６ｂは、平板６ａの４辺それぞれから垂直方向に延びるように設けられている。従って、平板６ａと、側板６ｂとにより、箱形の部材が形成される。
【００１６】
フランジ板６ｃは平板６ａの対向する２つの側板６ｂに形成される。フランジ板６ｃは、側板６ｂの端部から、箱形の部材の外方に向かって垂直方向に延びるように設けられている。フランジ板６ｃは、平板６ａの２つの短辺から延びる側板６ｂや、２つの長辺から延びる側板６ｂに形成しても良い。また、全ての側板６ｂに形成することもできる。
【００１７】
さらに、伸縮側面板６を後述の収納スペース８に嵌め込んだ際に、扉２側に配置される側板６には、２つの固定穴６ｄが設けられている。固定穴６ｄに、ボルト等の固定具を挿入することで、伸縮側面板６を筐体ａに固定する。本実施形態では、正面側に固定穴６ｄを設ける構成としたが、固定穴６ｄの設置箇所はこれに限定されない。例えば、天井板３側や、背面板７側に設けても良い。また、固定穴６ｄの数は、施工性を考慮の上、３つ以上設置しても良い。
【００１８】
（収納スペース８）
図４および５を参照して、伸縮側面板６が嵌め込まれて収納される収納スペース８について説明する。伸縮側面板６は、収納スペース８に収納された状態から、筐体ａの外方に向かって突出するようにスライド移動する。収納スペース８は、仕切り板８ａと、側板８ｂと、およびフランジ板８ｃと、を有する。収納スペース８は、仕切り板８ａ、側板８ｂ、およびフランジ板８ｃを直接連結して形成しても良いし、不図示の金属製のフレームを設けて、フレームに各金属板を連結する構成としても良い。
【００１９】
図５に示す通り、仕切り板８ａは、断面が凸型の長方形状の金属板であり、筐体ａと収納スペース８を仕切る。仕切り板８ａには、母線等のケーブルを通すための開口部が設けられることがある。必要に応じて、伸縮側面板６を嵌め込んだり、伸縮側面板６を伸び縮みさせる際の作業性を向上させるための開口部を設けても良い。例えば、仕切り板８ａに開口部を設け、作業員が筐体ａの内部から伸縮側面板６を外方に押し出せるように構成することができる。
【００２０】
側板８ｂおよびフランジ板８ｃは、金属製の平板である。側板８ｂは、仕切り板８ａの２つの短辺から垂直方向に延びるように設けられている。また、仕切り板８ａの長辺側の側板８ｂは、仕切り板８ａの側面、すなわち凸型部分を覆うように、垂直方向に延びるように設けられている。従って、仕切り板８ａと、側板８ｂとにより、略箱形の空間が形成される。略箱形としたのは、仕切り板８ａが凸型であることから、仕切り板８ａの２つの短辺側において、仕切り板８ａと側板８ｂにより窪んだ空間が画成されるからである。この窪みを含む略箱形の空間が収納スペース８である。窪みには、収納側面板６の側板６ｂおよびフランジ板６ｃが嵌め込まれて挿入される。
【００２１】
なお、側板８ｂは、天井板３、底板４、および背面板８ｂを用いて形成しても良い。すなわち、天井板３、底板４、および背面板７に、仕切り板８ａを連結して収納スペース８を形成することができる。その場合には、側板８ｂは、扉２側の長辺から垂直に延びるように１枚形成すれば良い。
【００２２】
フランジ板８ｃは仕切り板８ａの対向する２つの側板８ｂに形成される。フランジ板８ｃは、側板８ｂの端部から、収納スペース８の内方に向かって垂直方向に延びるように設けられている。フランジ板８ｃは、収縮側面板６のフランジ部６ｃに対応する箇所に設ける。すなわち、伸縮側面板６のフランジ板６ｃが、平板６ａの２つの短辺から延びる側板６ｂに形成されている場合には、平板８ａの２つの短辺から延びる側板８ｂにフランジ板８ｃを形成する。同様に、伸縮側面板６のフランジ板６ｃが、平板６ａの２つの長辺から延びる側板６ｂに形成されている場合には、平板８ａの２つの長辺から延びる側板８ｂにフランジ板８ｃを形成する。また、伸縮側面板６のフランジ板６ｃが、全ての収縮板６ｂに形成されている場合には、全ての側板８ｂにフランジ板８ｃを形成する。
【００２３】
さらに、図４に示す通り、扉２側の側板８ｂには、２つの長穴８ｄが伸縮側面板６の移動方向に平行となるように設けられている。伸縮側面板６の固定穴６ｄと、収納スペース８の長穴８ｄを介して、ボルト等の固定具を挿入することで、伸縮側面板６は筐体ａに固定される。また、長穴８ｄの水平方向の長さの範囲で、伸縮側面板６がスライド移動することが可能となる。本実施形態では、扉２側に長穴８ｄを設ける構成としたが、長穴８ｄの設置箇所はこれに限定されない。例えば、固定穴６ｄの設置位置に応じて、天井板３側や、背面板７側に設けても良い。また、長穴８ｄの数は、施工性を考慮の上、３つ以上設置しても良い。
【００２４】
長穴８ｄは、一端で伸縮側面板６が縮んだ状態（最大縮み位置）を規制する。すなわち、長穴８ｄの仕切り板８ａ側の端部において伸縮側面板６が固定されている場合、伸縮側面板６の平板６ａは、収納スペース８を形成するフランジ板８ｃと同一平面上に位置する。なお、必ずしも同一平面上である必要はなく、フランジ板８ｃから若干突出した状態を最大縮み位置として規制する構成としても良い。
【００２５】
長穴８ｄのもう一方の端部は、伸縮側面板６が伸びた状態（最大伸び位置）を規制する。すなわち、長穴８ｄの２つの端部のうち、筐体ａの外方側に設けられた端部において伸縮側面板６が固定されている場合、伸縮側面板６ａの平板６ａは、収納スペース８を形成するフランジ板８ｃから突出した状態で固定される。最大伸び位置は、最大縮み位置より外方に平板６ａが突出する位置とすれば良いが、例えば、最大縮み位置と最大伸び位置の差を、２〜５ｃｍとすることができる。
【００２６】
（伸縮補助部材）
上記のように、伸縮側面板６は、長穴８ｄを介して固定穴６ｄに固定具を挿入することで固定され、また固定具を外すことでスライド移動が可能となる。ここで、前述のように筺体ａは寸法が大きく、かつ重量が重い。そのため、上述の通り、仕切り板８ａに開口部を設け、作業員が筐体ａの内部から伸縮側面板６を外方に押し出せるように構成することができる。ただし、筺体ａの内部には電力盤等が設置されることから、作業員が内部に入る隙間が生じない場合もある。したがって、伸縮側面板６を移動させるために補助部材を設けることが好ましい。
【００２７】
例えば、伸縮側面板６に伸縮側面板６のスライド移動を補助する取っ手を設けて、作業員が伸縮側面板６を引き出せるようにしても良い。取っ手の一つの態様としては、固定穴６ｄに長穴８ｄを介して挿入可能な、ドアノブのような取っ手がある。ただし、固定穴６ｄおよび長穴８ｄを利用せず、取っ手を別途設けてもよい。このような取っ手は、伸縮側面板６の重量および大きさによって必要な個数を、筺体ａの前面、背面、および上面に位置する側板８ｂに設けることができる。
【００２８】
さらに、図５に示す通り、伸縮側面板６のフランジ板６ｃと、収納スペース８の仕切り板８ａとの間に弾性部材９を設けることができる。弾性部材９は、伸縮側面板６を外方に付勢する部材である。弾性部材９としては、板バネ等を用いることができる。この弾性部材９の付勢力は、上記の取っ手により伸縮側面板６を伸ばす方向に移動した際に、作業員による伸縮側面板６の移動を補助する程度の付勢力を有する。つまり、弾性部材９単体の力のみでは、伸縮側面板６を大きく移動できないものとする。
【００２９】
弾性部材９の付勢力を上記のようにする理由としては、弾性部材９の付勢力のみで伸縮側面板６を移動可能とした場合、非常に大きな付勢力が必要になることがある。大きな付勢力を有する弾性部材９を用いた場合、伸縮側面板６が隣接する筺体ａにぶつかり隣接する筺体ａを傷つける可能性がある。また、一度伸びた伸縮側面板６を縮ませることが困難となる。以上より、弾性部材９は、取っ手による移動を補助する程度の付勢力を有するものとする。
【００３０】
＜筐体ａの交換工事＞
以上のような第１の実施形態の筐体ａを用いた場合、筐体ａの交換工事は以下のように実施することが可能である。まず、図６（ａ）に示すように、本実施形態の筐体ａ１〜ａ３は、隣り合わせで、隙間が生じないように並べて配置されている。各筐体ａ１〜ａ３の伸縮側面板６は、隣接する筺体ａの側面板５と密接する位置まで伸ばされて固定されている。
【００３１】
ここで、筐体ａ２を更新する場合、筺体ａ２の伸縮側面板６を固定する固定具を緩め、最大縮み位置までスライドさせる。すると、図６（ｂ）に示すように、筺体ａ１と筺体ａ２の間に隙間が生じる。したがって、他の筺体ａ１およびａ３に挟まれるようにして設置されている筺体ａ２を、大掛かりな作業を行わずに引き抜くことが可能となる。
【００３２】
筺体ａ２を引き抜いた後には、伸縮側面板６が最大縮み位置で固定された新たな筺体ａを挿入する。伸縮側面板６が最大縮み位置で固定されていれば、筺体ａ１と筺体ａ２の間の空間より、新たな筺体ａの幅が小さくなるため、従来では挿入できない場合があった新たな筺体ａでも容易に挿入される。挿入された新たな筺体ａは、伸縮側面板６を隣接する筺体ａ１の側面板５と密接する位置まで伸ばして固定する。すると、新たな筺体ａが挿入された後も、図６（ａ）に示すように、各筺体間に隙間が生じないように並べて配置することが可能となる。
【００３３】
（作用と効果）
（ａ）以上のような本実施形態では、扉２と、天井板３と、床板４と、一対の側面板と、が直方体状に連結された電力用盤の筐体ａであって、一対の側面板の少なくとも一方が、水平方向にスライド移動可能かつ筐体ａの内部に収納可能に設けられた伸縮側面板６を含む。
【００３４】
従って、筐体ａの交換作業時には、設置されている筐体ａの伸縮側面板６をスライド移動させ、筐体ａの内部に収納することで、筐体ａの側面に空間を生じさせる。そのため、壁や他の筐体等に密接した状態で設置された筐体ａであっても、容易に引き抜くことができる。新たに設置する筐体ａは、伸縮側面板６を筐体ａの内部に収納した状態で挿入するため、筐体ａの側面に空間を生じる。そのため、たとえ新たな筐体ａに寸法誤差があった場合であっても、新たな筐体ａを既存設備の間の空間に挿入することが可能となる。新たな筐体ａを挿入した後に、伸縮側面板６を隣接する設備の側面と密接する位置まで伸ばして固定すれば、埃等の侵入を防ぐことができ安全性が高められる。また、美観を高めることができる。
【００３５】
以上の通り、本実施形態では、たとえ複数の筐体ａが並んで設置されている場合であっても、他の筐体ａに挟まれた筐体ａを容易に引きぬくことが可能となる。従って、筐体ごとの更新を容易にすることができる。また、従来のように全ての筐体を入れ替える必要がなくなるため、更新コストを大幅に低減することができる。
【００３６】
（ｂ）伸縮側面板６を収納する収納スペース８を設け、伸縮側面板６は、収納スペース８に収納された状態から、筐体ａの外方に向かって突出するようにスライド移動可能に設けられている。
【００３７】
伸縮側面板６を収納する収納スペース８を設けることで、伸縮側面板６が筐体ａの内部機器から隔離される。そのため、伸縮側面板６が、内部機器に接触する可能性がなくなり、安全性を高めることができる。
【００３８】
（ｃ）伸縮側面板６は、平板６ａと側板６ｂを有する箱形の部材であり、少なくとも対向する２つの側板６ａの端部には、外方に向かって垂直方向に延びる第１のフランジ板６ｃが形成され、収納スペース８は、筐体ａと収納スペース８を仕切る断面凸型の仕切り板８ａと、側板８ｂを有する箱形の部材であり、伸縮側面板６の第１のフランジ板６ｃに対応する箇所に、内方に向かって垂直に延びる第２のフランジ板８ｃが形成され、伸縮側面板６の側板６ｂは、収納スペース８の仕切り板８ａと側板８ｃが画成する窪みに嵌め込まれる。
【００３９】
以上のように、フランジ板８ｃを、伸縮側面板６のフランジ板６ｃと対応するように設けることで、フランジ板８ｃにフランジ板６ｃが引っかかって止まるため、嵌め込まれた伸縮側面板６が収納スペース８から外れることが防止される。従って、仮に、筐体ａの運搬中等の振動で、固定具に緩みが生じた場合であっても、伸縮側面板６が筐体ａから脱落することがなく、安全性を高めることができる。
【００４０】
（ｄ）伸縮側面板６の側板６ｂの少なくとも一つには、固定穴６ｄが設けられ、収納スペース８の側板８ｂには、固定穴６ｄに対応する位置に長穴８ｄが設けられ、伸縮側面板６は、固定穴６ｄおよび長穴８ｄを介して、固定具により固定可能に設けられている。
【００４１】
上述の通り、長穴８ｄは、一端で最大縮み位置を規制し、他端で最大伸び位置を規制する。このように、長穴８ｄを用いて伸縮位置を規制することで、シンプルな構造で伸縮側面板６をスライド移動可能とすることができる。また、設置状況に合わせて、所望の位置で伸縮側面板６が固定でき、施工性を高めることができる。
【００４２】
（ｅ）伸縮側面板６には、伸縮側面板６のスライド移動を補助する取っ手が設けられている。
【００４３】
伸縮側面板６は、寸法が大きく重量が重いことが多いが、作業員が取っ手を押し引きすることで伸縮側面板６を伸縮させやすくなる。
【００４４】
（ｆ）伸縮側面板６のフランジ板６ｃと、収納スペース８の仕切り板８ｃとの間に弾性部材９が設けられている。
【００４５】
伸縮側面板６は、寸法が大きく重量が重いことが多いが、弾性部材９が伸縮側面板６を付勢することにより、伸縮側面板６を伸ばしやすくできる。
【００４６】
（ｇ）電力用盤の筐体ａが複数並んで設置され、各電力用盤の筐体ａの伸縮側面板６は、隣接する筐体ａの側面板５と密接する位置まで伸ばされて固定される。
【００４７】
筐体ａの交換時において、伸ばした状態で固定された伸縮側面板６を、筐体ａに収納することで、伸縮側面板６と隣接する筐体ａの側面板５との間に空間を生じさせることできる。そのため、筐体ａの撤去および新たな筐体ａの挿入を容易とすることができる。従って、作業効率を向上させることができ、施工コストを含む筐体ａの更新コストを低減することが可能となる。
【００４８】
（２）第２の実施形態
第２の実施形態の電力用盤の筐体ｂについて、図７および８を用いて具体的に説明する。なお、前述の実施形態とは異なる点のみを説明し、前述の実施形態と同じ部分については同じ符号を付して詳細な説明は省略する。筐体ｂは、一対の側面板の両方が、伸縮側面板６Ａおよび６Ｂである。
【００４９】
以上のような筐体ｂの伸縮側面板６Ａおよび６Ｂは、上記第１の実施形態の伸縮側面板６と同様に伸縮する。２つの収縮側面板６Ａおよび６Ｂを有する筐体ｂは、複数並べて設置しても良い。さらに、筐体ｂは、従来の電力用盤の筐体の間に挿入することができる。
【００５０】
図８は、従来の筐体ｃ２およびｃ３の間に、筐体ｂを挿入した例を示す。なお、図８の例では従来の筐体ｃ２およびｃ３の隣には、さらに従来の筐体ｃ１およびｃ４が設置されている。伸縮側面板６Ａおよび６Ｂは、それぞれ隣接する筐体ｃ２およびｃ３の側面板と密接する位置で固定されている。
【００５１】
以上のような設置状況において、例えば従来の筐体ｃ２を更新する必要が生じた場合、筐体ｂの伸縮側面板６Ｂを最大縮み位置までスライドさせる。すると、図８（ｂ）に示すように、筺体ｂと筺体ｃ２の間に隙間が生じる。したがって、筺体ｂおよびｃ１に挟まれるようにして設置されている従来の筺体ｃ２を、大掛かりな作業を行わずに引き抜くことが可能となる。同様に、筐体ｃ３を引き抜く場合には、伸縮側面板６Ａを最大縮み位置までスライドさせればよい。以上のように、本実施形態の筐体ｂを用いることで、隣接する従来の筐体を引き抜くことが容易となり、施工性が向上するとともに更新コストを低減させることができる。
【００５２】
（３）他の実施形態
上記の実施形態では、スイッチギヤに用いられる典型的な筐体を例に説明した。しかし、本実施形態は筺体ａの形状や構成を限定するものではなく、多種多様な電力用盤の筐体に適用できる。たとえば、上記の実施形態では、直方体状の筐体ａとしたが、立方体状でも良い。扉２は前面に設けられているが、背面に設けられる構成としても良い。もちろん、扉２を前面と背面の両方に設けることもできる。このような筐体ａの詳細な構造は、使用上の要望に合わせて適宜変更したうえで、伸縮側面板６および収納スペースを適用することができる。
【００５３】
上記の実施形態では、説明の便宜上、筐体ａの内部構成については詳細を省略した。しかし、筐体ａの大きさや内部機器によって、適宜、筐体ａの内部空間に縦フレームや横フレームあるいは仕切り板を追加することができる。仕切り板等により、筐体ａの内部空間を複数の区画室に区画しても良い。区画室としては、例えば、開閉室、母線室、およびケーブル室等があり、それぞれの機器が区画ごとに収納され安全性が高められる。さらに、区画室に開口部を設けて、区画室同士が連通していても良い。以上のように、筐体ａの内部空間は、実際の使用に併せて、自由に設計することができる。
【００５４】
上記の実施形態では、伸縮側面板６は、左側面または右側面のどちらか一方、または左側面および右側面の両方に設けた。しかし、背面板７に代えて、実施形態の伸縮側面板６を設ける構成としても良い。
【００５５】
上記の実施形態では、伸縮側面板６に固定穴６ｄを設け、収納スペース８に長穴８ｄを設ける構成とした。ただし、固定穴を収納スペース側に設け、長穴を伸縮側面板６に設ける構成としても良い。
【００５６】
上記の実施形態では、伸縮側面板６は、固定穴６ｄおよび長穴８ｄを用いて、ボルト等の固定具を介して筐体ａに固定されるとした。しかし、伸縮側面板６の固定態様は上記に限定されない。たとえば、固定穴６ｄに代わりにネジ切りされた突起部を設け、この突起部を長穴８ｄに挿入し、ナット等の固定具により固定しても良い。
【００５７】
上記の実施形態では、伸縮側面板６を有する筐体ａを複数並べて配置することとした。ただし、伸縮側面板６を有する筐体ａと、伸縮側面板６を有さない筐体を交互に配置しても、上記実施形態と同様の作用効果を得ることができる。
【００５８】
上記の各実施形態、各態様は、本明細書において一例として提示したものであって、発明の範囲を限定することを意図するものではない。すなわち、その他の様々な形態で実施されることが可能であり、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【符号の説明】
【００５９】
ａ、ａ１〜ａ３、ｂ、ｃ１〜ｃ４…電力用盤の筐体
１…チャンネルベース
２…扉
２ａ…ハンドル
２ｂ…名称板
３…天井板
４…底板
５…側面板
６、６Ａ、６Ｂ…伸縮側面板
６ａ…平板
６ｂ…側板
６ｃ…フランジ板
６ｄ…固定穴
７…背面板
８…収納スペース
８ａ…仕切り板
８ｂ…側板
８ｃ…フランジ板
８ｄ…長穴
９…弾性部材
【図１】
2019047557.tif 000003
【図２】
2019047557.tif 000004
【図３】
2019047557.tif 000005
【図４】
2019047557.tif 000006
【図５】
2019047557.tif 000007
【図６】
2019047557.tif 000008
【図７】
2019047557.tif 000009
【図８】
2019047557.tif 000010